(57)【要約】【課題】  犯人等に対する拘束力を確保しつつ、犯人等に振り回され難く構成することにより、犯人等に奪われ難い捕捉器具を提供する。【解決手段】  本発明の捕捉器具１００は、棒状の軸部１２０の先端に、軸部１２０の前方に向かって二又状に開いた捕捉部１４０を有する捕捉器具であって、捕捉部１４０若しくはその近傍の軸部１２０から捕捉部１４０とは異なる方向に開き、かつ、前方に突出する掛止部１６０を設けたことを特徴とする。【選択図】          図１
2005351565.tif 000002
【特許請求の範囲】
【請求項１】
棒状の軸部の先端に、前記軸部の前方に向かって二又状に開いた捕捉部を有する捕捉器具において、
前記捕捉部若しくはその近傍の軸部から前記捕捉部とは異なる方向に開き、かつ、前方に突出する掛止部を設けたことを特徴とする捕捉器具。
【請求項２】
前記掛止部は前記捕捉部の基部若しくはその近傍の軸部から突出していることを特徴とする請求項１に記載の捕捉器具。
【請求項３】
前記捕捉部の軸線が１つの仮想平面に含まれるように構成され、前記掛止部は、当該仮想平面に対して直交する方向に開いていることを特徴とする請求項１又は請求項２に記載の捕捉器具。
【請求項４】
前記掛止部の前方への突出量は、前記捕捉部の突出量より小さいことを特徴とする請求項１乃至３のいずれか一項に記載の捕捉器具。
【請求項５】
前記掛止部の内側部分の表面上に多数の突起が設けられていることを特徴とする請求項１乃至４のいずれか一項に記載の捕捉器具。
【発明の詳細な説明】
【技術分野】
【０００１】
本発明は捕捉器具に係り、特に、棒状の軸部の先端に設けられた捕捉部の構造に関する。
【背景技術】
【０００２】
従来から、犯人等を取り押さえるために、棒状の軸部の先端に略Ｕ字形に湾曲した捕捉部を備えた捕捉器具が知られている。この捕捉器具は、一般には刺股（さすまた）と呼ばれ、略Ｕ字形の捕捉部で犯罪者等の胴部などを押え付けて身動きができないようにして使用するものである。しかしながら、捕捉部で犯人等の胴部を押え付けようとしても、使用者の腕力が弱い場合には、犯人等が上記の捕捉部を掴んで回転させることなどによって捕捉器具が奪い取られてしまう可能性がある。この問題を解決するために、種々の捕捉器具が考案されており、その一例が、例えば、特許文献１及び特許文献２に開示されている。
【０００３】
特許文献１には、軸部の先端に設けられた湾曲した形状の捕捉部の表面上及び捕捉部近傍の軸部の表面上に多数の突起が設けられた捕捉器具が記載されている。この捕捉器具によれば、多数の突起によって犯人等が捕捉部やこの捕捉部近傍の軸部を掴み難くなるので、犯人等に奪い取られる恐れを低減することができる。
【０００４】
特許文献２には、軸部の先端部に設けられた捕捉部が軸部に対して軸部の軸線回りに回転可能に構成されてなる捕捉器具が記載されている。この捕捉器具によれば、犯人等が捕捉部を掴んで振り回しても、軸部を回転させることができないので、犯人等に奪い取られる恐れを低減することができる。
【特許文献１】特開２００４−２８５６０号公報
【特許文献２】特開２０００−１８８９０号公報
【発明の開示】
【発明が解決しようとする課題】
【０００５】
しかしながら、特許文献１に記載された捕捉器具では、突起の先端を鋭く形成すると犯人等を傷つける恐れが高くなり、突起の先端を丸く形成すると犯人等が捕捉部やその近傍の軸部を握りやすくなるので犯人等によって奪い取られやすくなるという問題がある。
【０００６】
また、特許文献２に記載された捕捉器具においては、捕捉部を犯人等の胴部に押し付けても、捕捉部が軸部の軸線回りに自由に回転してしまうため、捕捉部によって犯人等を十分に拘束することができないという問題がある。
【０００７】
そこで、本発明は上記問題点を解決するものであり、その課題は、従来の器具よりも奪い取られにくい捕捉器具を提供することにある。特に、具体的な目的は、犯人等が軸部を回転させることができず、しかも、犯人等に対する拘束力を発揮することのできる捕捉器具を実現することである。また、他の目的は、従来の器具よりも犯人等の抵抗意欲をさらに失わせやすい捕捉器具を実現することである。
【課題を解決するための手段】
【０００８】
上記課題を解決するために本発明の捕捉器具は、棒状の軸部の先端に、前記軸部の前方に向かって二又状に開いた捕捉部を有する捕捉器具において、前記捕捉部若しくはその近傍の軸部から、前記捕捉部とは異なる方向に開き、かつ、前方に突出する掛止部を設けたことを特徴とする。
【０００９】
この発明によれば、捕捉部若しくはその近傍の軸部から、捕捉部とは異なる方向に開き、かつ、前方に突出する掛止部を設けたことにより、捕捉部で犯人等の胴部を押え付ける際に、前記掛止部を犯人等の股間、脇の下、肩と首の間などに挿入し、掛止することができるので、犯人等に対する拘束力を高めることができるとともに、犯人等が捕捉部を掴んで軸部の軸線回りに回転させようとしても、上記の各所に挿入された掛止部が犯人等の身体に引っ掛るため、捕捉器具を回転させることができなくなる。
【００１０】
ここで、前記捕捉部は、犯人等の胴部を確実に捕捉する上で全体として略Ｕ字形状若しくは略円弧状であることが望ましい。また、犯人等が掴み難くなるように前記捕捉部及びその近傍の前記軸部の表面上には多数の突起が設けられていることが望ましい。この場合、突起は、その形成範囲にほぼ均一な密度で配設されていることが望ましく、また、前記突起の先端は丸く又は前記突起の突出方向に対してほぼ直交する方向に平らに形成されていることが望ましい。さらに、前記突起には筒材が装着され、当該筒材は、その先端が前記突起の先端よりも突出しており、前記突起の根元方向に応力を受けることにより前記突起の長さ方向に短縮可能に構成されていることが望ましい。
【００１１】
本発明において、前記掛止部は前記捕捉部の基部若しくはその近傍の軸部から突出していることが好ましい。これによれば、掛止部が捕捉部の基部若しくはその近傍の軸部から突出していることにより、掛止部を股間、脇の下、肩と首の間などに挿入しやすくなる。この場合、掛止部の開く方向は捕捉部の二又形状がそれぞれ開く方向の間のほぼ中間の角度方向であることが望ましい。また、掛止部は略円弧状に湾曲していることが好ましい。これによれば、犯人等の身体と、これに押し付けられた捕捉部との位置関係が多少変化しても、掛止部を犯人等の股間、脇の下、肩と首の間などに対して確実に挿入することができ、掛止部の略円弧状に湾曲した内側部分を犯人等の身体に密着させることができるなど、安定した掛止状態を得ることが可能になる。
【００１２】
本発明において、前記捕捉部の軸線が１つの仮想平面に含まれるように構成され、前記掛止部は、当該仮想平面に対して直交する方向に開いていることが好ましい。
【００１３】
この発明によれば、前記捕捉部の軸線が１つの仮想平面に含まれるように構成され、前記掛止部は、当該仮想平面に対して直交する方向に開いていることにより、前記掛止部を犯人等の身体に掛止させた状態で、犯人等が前記捕捉部をいずれの方向に回転させても、犯人等の身体に前記掛止部が確実にひっかかるので、前記掛止部が犯人等の身体から外れにくくなる。
【００１４】
本発明において、前記掛止部の前方への突出量は、前記捕捉部の突出量より小さいことが好ましい。この発明によれば、前記掛止部が捕捉部の突出量よりも小さい前方への突出量を有することにより、倒れた姿勢の犯人等に対して捕捉部を押し付けようとしたとき、捕捉部の下方に配置された掛止部の先端が地面又は床に干渉することにより、捕捉部を犯人等の胴部に密着させることができなくなるといった事態が生ずる恐れを低減できる。なお、上記の前方への突出量とは、具体的には、軸部の先端を通過し、軸部の軸線と直交する平面と、掛止部又は捕捉部の先端との間の距離を言う。
【００１５】
ここで、上記掛止部の突出量は、前記捕捉部の突出量の３０〜８５％までの範囲内であることが好ましく、特に、前記捕捉部の突出量の７０％程度であることが望ましい。これにより、上述のように地面や床に干渉することも少なくなるとともに、前記掛止部を犯人等の股間、脇の下、肩と首との間に十分深く挿入でき、犯人等の身体にしっかりと掛止できるので、掛止部が犯人等の身体から外れ難くなる。
【００１６】
本発明において、前記掛止部の内側部分の表面上に多数の突起が設けられていることが好ましい。この発明によれば、掛止部の内側部分の表面上に多数の突起が設けられていることにより、掛止部を犯人等の身体に掛止させた際に、掛止部を犯人等の身体に押し付けたり、或いは、犯人等が抵抗したりすると、突起が犯人等の身体に突き当たって苦痛を与えるので、犯人等の抵抗意欲を削ぐことができる。
【００１７】
ここで、上記突起の先端は丸く若しくは平坦に形成されていることが望ましい。これによって突起により犯人等が傷つくことを回避できる。
【発明の効果】
【００１８】
以上、説明したように本発明によれば、女性や高齢者等の如き腕力が弱い者が使用しても犯人等に捕捉器具を奪われ難くすることができる。
【発明を実施するための最良の形態】
【００１９】
次に、添付図面を参照して本発明に係る捕捉器具の実施形態について詳細に説明する。図１は本発明に係る捕捉器具の全体構成を示す概略平面図である。この捕捉器具１００は、棒状の軸部１２０と、この軸部１２０の先端に接続固定された捕捉部１４０と、軸部１２０の先端に接続された捕捉部１４０の基部に接続固定された掛止部１６０とを有する。
【００２０】
図１に示すように、軸部１２０の後端側部分には、軸部１２０の軸線に対してほぼ直交する側に伸びる棒状の第１把持部１２２が接続固定されている。また、軸部１２０の後端には第２把持部１２３が設けられている。この第２把持部１２３は三角形状の如き閉曲線状に形成されている。なお、第２把持部１２３には、捕捉器具１００の重心位置を後端側に移動させるために、図示しない錘が内蔵されていることが望ましい。これにより、捕捉器具１００の先端を容易に持ち上げることができるなど、容易に取り扱うことが可能になる。
【００２１】
また、捕捉部１４０は、軸部１２０の前方に向けて二又状に開いた形状を有し、全体として、略Ｕ字形状或いは略円弧状に形成されている。具体的には、捕捉部１４０は、棒状又は管状の部材を略Ｕ字形状又は略円弧状に湾曲させて形成したものである。この捕捉部１４０の中央部は軸部１２０の先端に接続固定されており、その結果、二又状に分かれた各々の枝部分の形状が相互に対称となるように構成されている。捕捉部１４０の先端にはゴムやプラスチックなどの如き弾性素材からなるキャップ１４５、１４５がそれぞれ取り付けられている。
【００２２】
軸部１２０のうち捕捉部１４０側にある先端側部分及び捕捉部１４０には、多数のピン１２１，１４１が取り付けられている。これらのピン１２１，１３１は、軸部１２０及び捕捉部１４０を貫通するように取り付けられ、図示しない止め輪などによって固定されている。これらのピン１２１，１４１の両端部は、軸部１２０の先端側部分及び捕捉部１４０の表面上に突出する突起１２１ａ，１４１ａを構成している。
【００２３】
図２は捕捉器具１００の先端側部分をその側部（図１の矢印Ａの方向）から見た概略側面図である。図１及び図２に示すように、掛止部１６０は、軸部１２０の先端に接続された捕捉部１４０の基部に取り付けられている。そして、捕捉部１４０が二又状に開く方向に対して異なる方向、具体的には、捕捉部１４０の一対の枝部分における軸部１２０の軸線周りの角度方向間の中間の角度方向に開き、かつ、前方に突出している。また、掛止部１６０は全体として湾曲した円弧状に形成されている。
【００２４】
掛止部１６０の前方への突出量（軸部１２０の先端を通過し、軸部１２０の軸線と直交する平面と、掛止部１６０の先端との距離）は、捕捉部１４０の突出量より小さく設定されている。具体的には、図２に示すように、掛止部１６０の突出量をＬとし、捕捉部１４０の突出量をＬ′とすると、Ｌは０．３Ｌ′≦Ｌ≦０．８５Ｌ′であることが望ましい。図示例ではＬは約０．７Ｌ′となるように設定されている。
【００２５】
ここで、掛止部１６０の突出量Ｌが０．３Ｌ′より小さいと、掛止部１６０が犯人等の股間、脇の下、首と肩の間に挿入させることが難しくなり、掛止部１６０を犯人等の身体に掛止することができなかったり、一旦は掛止できても簡単に外れてしまったりする。一方、掛止部１６０の突出量Ｌが０．８５Ｌ′より大きいと、倒れた姿勢の犯人等に対して捕捉器具１００を用いる場合、軸部１２０を斜め下方に向けて捕捉部１４０を犯人に押し付けようとしたときに、掛止部１６０の先端が地面や床などに抵触してしまうことにより、捕捉部１４０を犯人等の身体に当接させることができず、犯人等を拘束することができなくなる恐れがある。
【００２６】
図３は捕捉器具１００を軸部１２０の軸線方向前方から（図１の矢印Ｂの向きに）見た概略正面図である。図３に示すように、掛止部１６０は、前方に開いた略Ｕ字形状又は略円弧状の捕捉部１４０の中央部に接続固定されている。本実施形態では、捕捉部１４０の軸線は一つの仮想平面１４０Ｘに含まれるように構成されている。また、掛止部１６０の軸線を含む平面を仮想平面１６０Ｘとしたとき、この仮想平面１６０Ｘと、捕捉部１４０のＵ字形状の軸線が含まれる仮想平面１４０Ｘとのなす角度θは直角に構成されている。これにより、犯人等が捕捉部１４０を軸部１２０の軸線回りのいずれの方向に回転させようとしても犯人等の身体に掛止部１６０が同じように引っかかるので、掛止部１６０が外れ難くなる。
【００２７】
また、図２に示すように、掛止部１６０にはピン１６１が図示しない止め輪などによって取り付け固定されている。このピン１６１は掛止部１６０の内側の表面上から突出し、この突出する部分は突起１６１ａを構成している。この突起１６１ａは犯人等の身体を押圧して犯人等に苦痛を与えるので、犯人等の抵抗意欲を消失させることができる。また、図４（ａ）に示すように、突起１６１ａの先端部１６１ｂは丸く形成され、これによって、掛止部１６０を犯人等の身体に掛止させた際に、突起１６１ａが犯人等の身体を傷つけないようになっている。
【００２８】
図４（ｂ）及び（ｃ）には、突起１６１ａの異なる形態をそれぞれ示す。図４（ｂ）に記載された突起１６１ａ′の先端部１６１ｃは平坦な端面を備えている。この突起１６１ａ′は、上記の先端を丸く形成した突起１６１ａに比べて容易に加工できるので、捕捉器具１００の製造コストを低減できる。
【００２９】
図４（ｃ）に示す突起１６１ａ″においては、突起１６１ａ″の軸部の直径より大きな直径を有する先端部１６１ｄが設けられ、突起１６１″の全体形状がきのこ状に構成されている。これにより、先端を単に丸く形成した突起１６１ａに比べて、犯人等の身体に当接する先端部の表面積が広くなるので、犯人等の身体を傷つける恐れをさらに低減できる。
【００３０】
図２及び図５（ａ）に示すように、突起１６１ａは、掛止部１６０の軸線に沿ってその内側に１列に配列されている。これにより、掛止部１６０が犯人等の身体に掛止された状態で、犯人等が身体を動かして抵抗すると、突起１６１ａが身体に突き当てられることにより苦痛を受けるため、抵抗意欲が失われる。なお、図５では、ピン１６１を固定するための止め輪などの固定構造を省略して示してある。
【００３１】
図５（ｂ）には、上記突起１６１ａの配列に対して、異なる態様が記載されている。突起１６１ａは、掛止部１６０に沿ってその内側に２列に配列されている。この２列の突起１６０ａ、１６０ａは相互に背反する方向に斜め（例えば、掛止部１６０からその内側に向かう方向に対して両側に約４５度の角度をそれぞれ有する方向）に突出し、突出方向に向かって開いた状態に設けられている。これにより、捕捉部１４０をいずか一方向に回転させると、掛止部１６０に設けられた２列の突起１６１ａ、１６１ａのうち、いずれか一方の突起１６１ａが犯人等の身体に突き当たり、犯人等に苦痛を与えることとなる。
【００３２】
一方、上記のように、軸部１２０の先端側部分及び捕捉部１４０にも突起１２１ａ，１４１ａが形成されており、これらの突起１２１ａ，１４１ａの先端部は、図６（ａ）に示すように、平坦な端面を備えている。これにより、犯人等が捕捉部１４０を突起１２１ａ，１４１ａの上から握ったとしても、突起１２１ａ，１４１ａが犯人等の手に傷を与えないようになっている。また、これらの突起１２１ａ、１４１ａは、先端を丸く形成したものに比べて容易に加工できるので、製造コストの低減を図ることができる。
【００３３】
なお、図６（ｂ）には、上記軸部１２０及び上記捕捉部１４０の突起１２１ａ、１４１ａの異なる態様を示す。突起１２１ａ′、１４１ａ′は円錐形状の鋭利な先端を有している。そして、突起１２１ａ′、１４１ａ′には可撓性素材からなる筒材１３１が装着されている。この筒材１３１は、突起１２１ａ′、１４１ａ′に密着する筒状部１３１ａと、この筒状部１３１ａの中間部分に軸線方向に短縮するように変形可能に構成された変形部１３１ｂが設けられている。外部から応力を受けていない状態においては図６（ｂ）に示すように、変形部１３１ｂが伸びていて、筒材１３１の先端は突起１２１ａ′、１４１ａ′の先端より僅かに突出した状態となっている。この状態において、捕捉器具の軸部又は捕捉部が掴まれると、筒材１３１の先端に突起１２１ａ′、１４１ａ′の根元側に向けた応力が加わるため、変形部１３１ｂが変形して筒材１３１が短縮するので、筒材１３１の先端側の筒状部１３１ａが突起１２１ａ′、１４１ａ′の根元側に移動し、その結果、筒材１３１の先端から突起１２１ａ′、１４１ａ′の先端が突出した状態となる。
【００３４】
本実施形態の捕捉器具１００を用いる場合には、図７（ａ）に示すように、捕捉部１４０を犯人Ｈの腹部に押し付けるとともに、掛止部１６０を犯人Ｈの股間に挿入したり、図７（ｂ）に示すように、捕捉部１４０を犯人Ｈの胸部に押し付けるとともに、掛止部１６０を犯人Ｈの首と肩の間に挿入したりする。このようにすると、捕捉器具１００が犯人Ｈに対して押し付けられている限り、犯人Ｈが捕捉部１６０を把持して軸部１２０の軸線周りに振り回そうとしても、掛止部１６０が犯人の身体に掛止されることによりその回転角度が限定されるので、捕捉器具１００を奪い取られる恐れが低減される。
【００３５】
また、本実施形態の捕捉器具１００においては、捕捉部１４０が軸部１２０に対して固定されているので、犯人Ｈに対する拘束力が低下することはなく、掛止部１６０が設けられていることによって却って犯人Ｈに対する拘束力を高めることができる。さらに、使用者が軸部１２０を回転させると、これによって捕捉部１４０とともに掛止部１６０が犯人Ｈの身体に当るので、犯人Ｈに苦痛を与えることもでき、その結果、犯人Ｈの反抗意欲を失わせることも可能である。
【００３６】
この捕捉器具１００において、掛止部１６０が湾曲した円弧状に形成されていることにより、犯人Ｈの身体と捕捉部１４０との位置関係が多少変化しても、犯人Ｈの身体に対する掛止部１６０の掛止状態或いは密着状態が変化しにくいので、安定かつ確実に掛止部１６０を犯人Ｈの身体に掛止させることができる。また、円弧状の掛止部１６０は、犯人Ｈの身体に掛止（密着）させやすいと同時に、犯人Ｈの身体以外の地面や床などの他の部分に抵触しにくくなるので、捕捉器具１００の取り扱いを容易に行うことが可能になる。
【００３７】
尚、本発明の捕捉器具は、上述の図示例にのみ限定されるものではなく、本発明の要旨を逸脱しない範囲内において種々変更を加え得ることは勿論である。例えば、上記実施形態においては、掛止部１６０は捕捉部１４０の基部（中央部）に接続固定されているが、捕捉部１４０の基部以外の部分に接続固定されていてもよく、また、捕捉部１４０が接続された軸部１２０の先端部近傍に接続固定されていても構わない。さらに、上記実施形態では掛止部１６０を円弧状に構成しているが、略Ｌ字形に構成してもよい。
【図面の簡単な説明】
【００３８】
【図１】本発明に係る実施形態の捕捉器具の全体構成を示す概略平面図。
【図２】図１の矢印Ａ方向に見た捕捉器具の先端側部分を示す概略側面図。
【図３】図１の矢印Ｂ方向に見た捕捉部と掛止部を示す概略正面図。
【図４】実施形態の掛止部に設けられた突起を示す概略斜視図（ａ）、及び、異なる態様の突起を示す概略斜視図（ｂ）及び（ｃ）。
【図５】実施形態の掛止部におけるピン取り付け構造を示す概略縦断面図（ａ）、及び、異なるピンの取り付け構造を示す概略断面図（ｂ）。
【図６】実施形態の捕捉部又は軸部の先端側部分に設けられた突起を示す概略斜視図（ａ）、及び、異なる構造を有する突起を示す概略斜視図（ｂ）。
【図７】実施形態の使用態様を示す概略説明図（ａ）及び（ｂ）。
【符号の説明】
【００３９】
１００…捕捉器具、１２０…軸部、１２１、１４１、１６１…ピン、１２１ａ、１２１ａ′、１４１ａ、１４１ａ′、１６１ａ…突起、１２２…第１把持部、１２３…第２把持部、１３０…筒材、１３１ａ…筒部、１３１ｂ…変形部、１４０…捕捉部、１４０Ｘ、１６０Ｘ…仮想平面、１４５、１６５…キャップ、１６０…掛止部、１６１ｂ、１６１ｃ、１６１ｄ…先端部、Ｈ…犯人
【図１】
2005351565.tif 000003
【図２】
2005351565.tif 000004
【図３】
2005351565.tif 000005
【図４】
2005351565.tif 000006
【図５】
2005351565.tif 000007
【図６】
2005351565.tif 000008
【図７】
2005351565.tif 000009